(57)【要約】【課題】簡単な構造で複数個の端子金具と複数箇所の係止ランスとの係合を一度の作業で解除することができる端子抜き治具を提供する。【解決手段】本発明の端子抜き治具２２は、少なくとも相手コネクタ３が嵌合するコネクタハウジング５の嵌合フード部６の外径より大きい抜き治具基壁部２３と、この抜き治具基壁部２３に設けられて嵌合フード部６に嵌合する嵌合基部２４と、嵌合基部２４から突設されて該嵌合基部２４がコネクタハウジング５の嵌合フード部６に嵌合した状態で係止ランス１２と端子金具８との係合状態を解除可能な複数本の解除突起２８と、抜き治具基壁部２３に設けられてコネクタハウジング５と相手コネクタ３との嵌合をガイドする嵌合用ガイドリブ９に係合して嵌合基部２４の嵌合フード部６への嵌合を案内するガイド片２６とで形成されている。【選択図】図１
2014107137.tif 000002
【特許請求の範囲】
【請求項１】
コネクタハウジングの端子収容室内に係止ランスに係合し抜け止め状態で収容されている端子金具を前記係止ランスとの係合を解除して端子収容室内から抜き出す端子抜き治具であって、
少なくとも相手コネクタが嵌合する前記コネクタハウジングの嵌合フード部の外径より大きい抜き治具基壁部と、
この抜き治具基壁部に設けられて前記嵌合フード部に嵌合する嵌合基部と、
前記嵌合基部から突設されて該嵌合基部が前記コネクタハウジングの嵌合フード部に嵌合した状態で前記係止ランスと端子金具との係合状態を解除可能な複数本の解除突起と、
前記抜き治具基壁部に設けられて前記コネクタハウジングと相手コネクタとの嵌合をガイドする嵌合用ガイドリブに係合して前記嵌合基部の前記嵌合フード部への嵌合を案内するガイド片とで形成されていることを特徴とする端子抜き治具。
【請求項２】
請求項１に記載の端子抜き治具であって、
前記ガイド片は前記抜き治具基壁部の両側部から同方向に向けて延設され、該ガイド片は両側部にそれぞれ所定の間隔を空けて２片ずつ設けられ、各２片のガイド片の先端同士は、前記コネクタハウジングの外周に係止して前記嵌合基部の前記嵌合フード部への嵌合状態を保持する連結保持部で連結されていることを特徴とする端子抜き治具。
【請求項３】
請求項１又は請求項２に記載の端子抜き治具であって、
前記解除突起は、前記嵌合基部から突設されたアーム部と、このアーム部の先端部に設けられて前記係止ランスと前記端子金具との係合状態を解除する先端傾斜部とで形成されていることを特徴とする端子抜き治具。
【請求項４】
請求項１乃至請求項３のいずれか一項に記載の端子抜き治具であって、
前記複数本の解除突起は、前記コネクタハウジングに形成された複数箇所の端子収容室にそれぞれ対応して形成された抜き時治具挿入孔に対応して設けられていることを特徴とする端子抜き治具。
【発明の詳細な説明】
【技術分野】
【０００１】
本発明は、コネクタハウジングの端子収容室内の係止ランスと端子金具との係合状態を解除して、端子金具を端子収容室内から抜き出すための端子抜き治具に関する。
【背景技術】
【０００２】
一般にコネクタハウジングの端子収容室に挿入された端子金具は、端子収容室内に設けられた係止ランスと係合することで端子収容室内からの抜けが阻止されている。この端子収容室内から端子金具を抜き出すには、係止ランスとの係合を解除して端子金具を端子収容室内から抜き出している。係止ランスと端子金具との係合を解除するときは、端子収容室に近接してコネクタハウジングに治具挿入空間を設けて、この治具挿入空間に長尺状の抜き治具を挿入し、係止ランスを撓ませることで係止ランスと端子金具の係合を解除している。
【０００３】
ところが、上記のように長尺状の抜き治具を治具挿入空間に挿入し係止ランスと端子金具との係合を解除する作業は、作業者による手作業で行うため、治具挿入空間に抜き治具を挿入する際の端子抜き治具の姿勢が一定ではなく、非熟練作業者（端子抜き作業に慣れていない作業者）の場合には、挿入姿勢が安定せず、係止ランスと端子金具との係合解除作業に手間取るという問題があった。
【０００４】
そこで、係止ランスと端子金具との係合を解除する方向へ抜き治具を変位（移動）させる動作を円滑かつ確実に行えるようにした端子抜き治具が特許文献１で提案されている。
【０００５】
この端子抜き治具は、コネクタハウジングに当接することでコネクタハウジングに対する姿勢を一定に保つ姿勢安定部材と、この姿勢安定部材に対し、退避位置と解除位置との間で変位する解除部材とを備えて構成されている。
【先行技術文献】
【特許文献】
【０００６】
【特許文献１】特開２００１−２５７０５２号公報
【発明の概要】
【発明が解決しようとする課題】
【０００７】
しかしながら、特許文献１に記載の端子抜き治具は、姿勢安定部材や解除部材等を複雑に組み合わせて構成されており、端子抜き治具自体を専用に設計する必要がある。
【０００８】
また、特許文献１に記載の端子抜き治具は、端子金具と係止ランスの係合状態を解除する場合に、一つの端子金具と係止ランスの係合状態しか解除できないので、複数個の端子金具と複数の係止ランスとの係合状態を解除しようとすると、係合状態を解除する抜き治具挿入空間へ都度端子抜き治具を挿入しなければならず、複数個の端子金具と係止ランスとの係合を解除しようとすると作業性が非常が悪い。
【０００９】
そこで、本発明は、簡単な構造で複数個の端子金具と複数箇所の係止ランスとの係合を一度の作業で解除することができる端子抜き治具の提供を目的とする。
【課題を解決するための手段】
【００１０】
請求項１に記載の端子抜き治具は、コネクタハウジングの端子収容室内に係止ランスに係合し抜け止め状態で収容されている端子金具を前記係止ランスとの係合を解除して端子収容室内から抜き出す端子抜き治具であって、少なくとも相手コネクタが嵌合する前記コネクタハウジングの嵌合フード部の外径より大きい抜き治具基壁部と、この抜き治具基壁部に設けられて前記嵌合フード部に嵌合する嵌合基部と、前記嵌合基部から突設されて該嵌合基部が前記コネクタハウジングの嵌合フード部に嵌合した状態で前記係止ランスと端子金具との係合状態を解除可能な複数本の解除突起と、前記抜き治具基壁部に設けられて前記コネクタハウジングと相手コネクタとの嵌合をガイドする嵌合用ガイドリブに係合して前記嵌合基部の前記嵌合フード部への嵌合を案内するガイド片とで形成されていることを特徴とする。
【００１１】
請求項２に記載の端子抜き治具は、請求項１に記載の端子抜き治具であって、前記ガイド片は前記抜き治具基壁部の両側部から同方向に向けて延設され、該ガイド片は両側部にそれぞれ所定の間隔を空けて２片ずつ設けられ、各２片のガイド片の先端同士は、前記コネクタハウジングの外周に係止して前記嵌合基部の前記嵌合フード部への嵌合状態を保持する連結保持部で連結されていることを特徴とする。
【００１２】
請求項３に記載の端子抜き治具は、請求項１又は請求項２に記載の端子抜き治具であって、前記解除突起は、前記嵌合基部から突設されたアーム部と、このアーム部の先端部に設けられて前記係止ランスと前記端子金具との係合状態を解除する先端傾斜部とで形成されていることを特徴とする。
【００１３】
請求項４に記載の端子抜き治具は、請求項１乃至請求項３のいずれか一項に記載の端子抜き治具であって、前記複数本の解除突起は、前記コネクタハウジングに形成された複数箇所の端子収容室にそれぞれ対応して形成された抜き治具挿入孔に対応して設けられていることを特徴とする。
【発明の効果】
【００１４】
請求項１の端子抜き治具は、相手コネクタが嵌合するコネクタハウジングの嵌合フード部の端面に抜き治具基壁部が当接するまで嵌合基部を挿入すると、解除突起が端子金具と係止ランスとの間に挿入され、端子金具と係止ランスとの係合状態が解除される。嵌合基部の嵌合フード部への嵌合動作は、抜き治具基壁部に設けたガイド片が、コネクタハウジングの嵌合用ガイドリブに係合して嵌合フード部への嵌合基部の嵌合方向をガイドする。
【００１５】
本発明の端子抜き治具は、相手コネクタを嵌合する際に用いる嵌合フード部に嵌合基部を嵌合させるだけで、複数本の解除突起が一回の動作で複数個の端子金具と複数箇所の係止ランスとの係合状態を解除するので、端子収容室内から端子金具を抜き出す必要がある端子金具が接続された電線等を引っ張ることで、抜き出すことが必要な端子金具を容易に抜き出すことができる。また、抜き出すことが必要な端子金具が複数個の場合でも、一々端子抜き治具を操作して（端子抜き治具を繰り返しコネクタハウジングに嵌合して）端子金具と係止ランスとの係合状態を解除する必要がないので、作業性が向上する。
【００１６】
また、本発明の端子抜き治具は、抜き治具基壁部に嵌合基部とガイド片とを設け、嵌合基部に複数本の解除突起を設けて、相手コネクタを嵌合させるようにコネクタハウジングの嵌合フード部に嵌合する構成なので構造が簡単になる。
【００１７】
従って、本発明の端子抜き治具は、簡単な構造で複数個の端子金具と複数箇所の係止ランスとの係合を一度の作業で容易に解除することができる。
【００１８】
請求項２の端子抜き治具は、2片のガイド片の先端側を連結する連結保持部が、コネクタハウジングの外周に係止することにより、端子抜け治具がコネクタハウジングに保持され、この状態では複数個の端子金具と、複数箇所の係止ランスとの係合状態が解除突起により解除された状態にあり必要な端子金具を端子収容室内から抜き出すことができるととも、複数個の端子金具を全て各端子収容室内から一度に抜き出すことができる。
【００１９】
請求項３の端子抜き治具は、嵌合基部をコネクタハウジングの嵌合フード部内に嵌合させると、アーム部が端子収容室あるいは端子収容室に隣接して設けられた抜き治具挿入空間に挿入され、先端傾斜部が端子金具と係止ランスとの間に挿入して端子金具と係止ランスとの係合状態を解除する。従って、一度の動作で、コネクタハウジングの複数箇所の端子収容室内に収容されている複数個の端子金具とこれらの端子金具とそれぞれ係合している係止ランスとの係合状態を解除することができる。
【００２０】
請求項４の端子抜き治具は、嵌合基部をコネクタハウジングの嵌合フード部に嵌合させることで、複数本の解除突起が治具挿入孔にそれぞれ挿入され、端子金具と係止ランスとの係合状態を一気に解除することができる。
【図面の簡単な説明】
【００２１】
【図１】第１実施形態のコネクタハウジングと端子抜き治具を示し、（ａ）は抜き治具をコネクタハウジングの嵌合フード部に嵌合する前の状態を示す斜視図、（ｂ）は抜き治具をコネクタハウジングの嵌合フード部に嵌合した状態を示す斜視図である。
【図２】第１実施形態の端子抜き治具を示す斜視図である。
【図３】端子抜き治具をコネクタハウジングの嵌合フード部に嵌合する状態を示し、（ａ）は端子抜き治具をコネクタハウジングの嵌合フード部に嵌合する前の状態を示す断面図、（ｂ）は嵌合した状態を示す断面図である。
【図４】コネクタハウジングの端子収容室内の係止ランスを示す断面図である。
【図５】第２実施形態の端子抜き治具を示し、（ａ）は端子抜き治具を背面側から見た斜視図、（ｂ）は（ａ）と反対側から見た斜視図である。
【図６】第２実施形態の端子抜き治具を示す斜視図である。
【図７】コネクタハウジングと、このコネクタハウジングの嵌合フード部に嵌合する相手コネクタを示し、（ａ）は嵌合する前の状態を示す分解斜視図、（ｂ）は嵌合した状態を示す斜視図である。
【発明を実施するための形態】
【００２２】
以下、本発明の実施形態の端子抜き治具について図面に基づいて説明する。
【００２３】
＜第１実施形態＞
第１実施形態について、図１乃至図４を用いて説明する。
【００２４】
本実施形態の端子抜き治具２２は、図１及び図３に示すジョイントコネクタ１に用いられて、ジョイントコネクタ１のコネクタハウジング５に収容された端子金具８と、この端子金具８に係合している係止ランス１２との係合状態を解除し、端子金具８を端子収容室１１内から抜き出すことができるようにする。
【００２５】
図１及び図３に示すように、本実施形態に用いるジョイントコネクタ１は、雌型コネクタ２と、この雌型コネクタ２に嵌合する雄型コネクタ３と、雌型コネクタ２と雄型コネクタ３との間に挟持されて止水する防水パッキン４とで構成されている。
【００２６】
雌型コネクタ２は、雌ハウジング（本実施形態におけるコネクタハウジング、以下「コネクタハウジング５」という）５と、コネクタハウジング５の一側に設けられて雄型コネクタ３が嵌合する嵌合フード部６と、嵌合フード部６の反対側に設けられて端子金具８に接続された電線が引き出される電線引出筒部７と、コネクタハウジング５内に収容される雌型端子金具（以下単に「端子金具」という）８とで形成されている。
【００２７】
また、コネクタハウジング５の両側部の外周には、雄型コネクタ３が嵌合フード部６に嵌合する際に、雄型コネクタを嵌合方向に案内する嵌合用ガイドリブ９、９が設けられている。嵌合用ガイドリブ９、９は、平板状で両側部の上下にそれぞれコネクタハウジング５の両側部から突設して設けられている。これらの嵌合用ガイドリブ９、９間に雄型コネクタ３の嵌合用ガイド１９、１９が挿入されることにより、雌型コネクタ２が嵌合方向に案内される。また、嵌合用ガイドリブ９、９間には、嵌合保持突起１０が突設されている。
【００２８】
雌型コネクタ２のコネクタハウジング５には、図４及び図５に示すように、電線端末の端子金具８が収容される複数箇所の端子収容室１１が設けられている（本実施形態では８箇所の端子収容室が２段に形成されている）。この端子収容室１１には、端子収容室１１内に収容された端子金具８と係合する係止ランス１２が設けられている。係止ランス１２は、端子収容室１１の内壁１３から突設された可撓性係止腕１４と、この可撓性係止腕１４に設けられて端子金具８に係合する係止突起１５とで形成されている。この可撓性係止腕１４は、内壁１３に片持支持されており、撓み変形可能となっている。係止突起１５は可撓性係止腕１４の先端側（自由端側）の壁部が可撓性係止腕１４に対して垂直に形成され、後端側（固定端側）の壁部が傾斜面となっている。これにより、端子金具８を電線引出筒部７側から端子収容室１１内に挿入すると、端子金具８の先端部が傾斜面に当接することで可撓性係止腕１４が撓み変形する。端子金具８を端子収容室１１内に完全に挿入すると端子金具８の係止孔の位置に係止突起１５が位置し、可撓性係止腕１４の弾性力で係止突起１５が端子金具８の係止孔内に挿入・係合する。また、可撓性係止腕１４の前方側は、嵌合フード部６と連通されており、後述する抜き治具挿入孔１６が形成されている。
【００２９】
雄型コネクタ３は、雄ハウジング１７と、雄型端子金具１８とで構成され、雄ハウジング１７には、雄型端子金具１８の本体部分が埋設されている。雄ハウジング１７に埋設された雄型端子金具１８の先端側は雄ハウジング１７の外方に突設されている。さらに、雄ハウジング１７の外周両側部には、嵌合用ガイド１９、１９がそれぞれ設けられている。嵌合用ガイド１９は、２つのガイド片２０、２０と、これらの２片のガイド片２０、２０の先端側同士を連結する連結保持部２１とで形成され、図３（ｂ）に示すように、雌型コネクタ２と雄型コネクタ３とが嵌合した状態で、連結保持部２１が雌型コネクタ２の嵌合保持突起１０に係止する。
【００３０】
以下、上記ジョイントコネクタ１の端子金具８を端子収容室１１内から抜き出すために、端子収容室１１内の端子金具８と係止ランス１２との係合状態を解除する端子抜き治具２２について説明する。
【００３１】
本実施形態の端子抜き治具２２は、図１及び図２に示すように、雄型コネクタ（図３参照）３が嵌合するコネクタハウジング５の嵌合フード部６の外径より大きい抜き治具基壁部２３と、この抜き治具基壁部２３に設けられて嵌合フード部６に嵌合する嵌合基部２４と、嵌合基部２４から突設されて該嵌合基部２４がコネクタハウジング５の嵌合フード部６に嵌合した状態で係止ランス１２と端子金具８との係合状態を解除可能な複数本の解除突起部２５と、抜き治具基壁部２３に設けられてコネクタハウジング５と雄型コネクタ３との嵌合をガイドする嵌合用ガイドリブ９に係合して嵌合基部２４の嵌合フード部６への嵌合を案内するガイド片２６とで形成されている。
【００３２】
抜き治具基壁部２３は、矩形平板状で、コネクタハウジング５の嵌合フード部６の外径より若干大きく形成されている。これにより、端子抜き治具２２を嵌合フード部６に嵌合した状態では図１（ｂ）に示すように嵌合フード部６の前端面６ａと当接し、端子抜き治具２２のコネクタハウジング５への嵌合位置が位置決められる。
【００３３】
抜き治具基壁部２３の一面側に形成された嵌合基部２４は、図２に示すように抜き治具基壁部２３より外径が一回り小さく形成され、嵌合フード部６の内径より若干小さく形成されている。これにより嵌合基部２４は嵌合フード部６内に図１（ｂ）、図４（ｂ）に示すように嵌合する。この場合、抜き治具基壁部２３と嵌合基部２４との段差部分２３ａが、嵌合フード部６の前端面６ａに当接して嵌合位置を決めるストッパとなっている。
【００３４】
嵌合基部２４の抜き治具基壁部２３と反対側の嵌合面２７から、複数個の解除突起２８が突設されている。これらの解除突起２８は、嵌合基部２４から突設された矩形断面で棒状のアーム部２９と、このアーム部２９の先端部に設けられた先端傾斜部３０とで形成されている。この先端傾斜部３０は、コネクタハウジング５に設けた抜き治具挿入孔１６内を通過し、端子金具８と係止ランス１２との間に挿入され、端子抜き治具２２の嵌合フード部６への嵌合動作によって可撓性係止腕１４を撓ませる。これにより端子金具８と係止ランス１２との係合状態が解除される。このとき端子抜き治具２２は、コネクタハウジング５に設けた嵌合用ガイドリブ９にガイド片２６が嵌合方向に案内されることにより、嵌合基部２４を正規な嵌合方向に案内されて嵌合フード部６に嵌合する。
【００３５】
ガイド片２６は、抜き治具基壁部２３の両側部から同方向に向けて延設され、延設されたガイド片２６は両側部にそれぞれ所定の間隔を空けて２片ずつ設けられている。そして、コネクタハウジング５の嵌合用ガイドリブ９、９間にガイド片６、６が挿入されることで端子抜き治具２２が正規な嵌合方向に案内される。
【００３６】
上記した端子抜き治具２２によりジョイントコネクタ１の雌ハウジング（コネクタハウジング）５の端子収容室１１内に収容された端子金具８を引き抜く引き抜き動作について以下に説明する。
【００３７】
図１（ａ）に示すように、コネクタハウジング５の嵌合フード部６側に端子抜き治具２２を対向させ、ガイド片２６をそれぞれ嵌合用ガイドリブ９、９間に挿入した後に、抜き治具基壁部２３及び嵌合基部２４を嵌合フード部６側へ移動する。嵌合基部２４を嵌合フード部６内に挿入した後、さらに抜き治具基壁部２３の段差部分２３ａが前端面６ａに当接するまで嵌合基部２４を嵌合フード部６に嵌合させる。嵌合基部２４の嵌合フード部６への嵌合動作により、図４（ｂ）、図５に示すように、解除突起２８の先端傾斜部３０の先端が、係止ランス１２の可撓性係止腕１４の先端と端子金具８との間に入り込む。先端傾斜部３０が可撓性係止腕１４の先端と端子金具８との間に入り込むと、可撓性係止腕１４が撓み変形し係止突起１５が端子金具８から抜き出て係止突起１５と端子金具８との係合状態、すなわち、係止ランス１２と端子金具８との係合状態が解除される。このような解除突起２８による係止ランス１２と端子金具８との係合状態の解除動作は、複数個の解除突起２８の全てで同時に行われ、端子抜き治具２２を嵌合フード部６に嵌合させると、複数箇所の端子収容室１１内に収容された端子金具８と係止ランス１２との係合状態が同時に解除される。この状態では、取り出したい端子金具８に接続されている電線を電線引き出し筒部７側から引っ張ることで端子金具８を端子収容室１１内から抜き出すことができる。
【００３８】
以上説明したように、本実施形態の端子抜き治具２２は、相手コネクタとしての雄型コネクタ３を嵌合する際に用いる嵌合フード部６に嵌合基部２４を嵌合させるだけで、複数本の解除突起２８が一回の動作で複数個の端子金具８と複数箇所の係止ランス１２との係合状態を解除するので、端子収容室１１内から端子金具を抜き出す必要がある端子金具８が接続された電線等を引っ張ることで、抜き出すことが必要な端子金具８を容易に抜き出すことができる。
【００３９】
また、抜き出すことが必要な端子金具８が複数個の場合でも、一々端子抜き治具２２を操作して（端子抜き治具を繰り返しコネクタハウジングに嵌合して）端子金具８と係止ランス１２との係合状態を解除する必要がないので、端子抜き作業の作業性が向上する。
【００４０】
また、本実施形態の端子抜き治具２２は、抜き治具基壁部２３に嵌合基部２４とガイド片２６とを設け、嵌合基部２４に解除突起２８を設けて、相手コネクタとしての雄型コネクタ３を嵌合させるようにコネクタハウジング５に嵌合することができる構成なので構造が簡単になる。従って、本実施形態の端子抜き治具２２は、簡単な構造で複数個の端子金具８と複数箇所の係止ランス１２との係合を一度の作業で容易に解除することができる。
【００４１】
＜第２実施形態＞
次に図６（ａ）、（ｂ）、図７に示す第２実施形態について説明する。上記第１実施形態と同構成部分については、図６及び図７に第１実施形態と同符号を付けて示し、重複した説明を省略する。
【００４２】
本実施形態の端子抜き治具３３は、ガイド片２６、２６の先端同士が、連結保持部３１で連結され、ガイド片２６、２６、連結保持部３１で囲まれる内部が矩形状の貫通孔に形成されている。
【００４３】
連結保持部３１は、図６（ａ）、（ｂ）に示すように、コネクタハウジング５の嵌合用ガイドリブ９、９間に設けられて、相手コネクタ（雄型コネクタ３）の連結保持部２１と同様に、コネクタハウジング５の嵌合保持突起１０に係合する。嵌合保持突起１０に、連結保持部３１が係合することにより、端子抜き治具２２は、コネクタハウジング５に嵌合した状態が保持され、この状態では、端子抜き治具２２によって、端子収容室１１内の端子金具８と係止ランス１２との係合解除状態が保持される。
【００４４】
従って、本実施形態によれば、上記第１実施形態と同様の効果が得られるとともに、連結保持部３１が、コネクタハウジング５の嵌合保持突起１０に係止することにより、端子抜け治具２２がコネクタハウジング５に確実に保持され、この状態では複数個の端子金具８と、複数箇所の係止ランス１２との係合状態が解除突起２８により解除された状態にあり必要な端子金具８を端子収容室１１内から抜き出すことができるととも、複数個の端子金具８を全て各端子収容室１１内から一度に抜き出すことができる。
【産業上の利用可能性】
【００４５】
本発明の端子抜き治具は、ジョイントコネクタ以外に、端子収容室内に係止ランスと係合した端子金具が抜け止めされて収容される種々のコネクタに用いることができる。
【符号の説明】
【００４６】
３  雄コネクタ（相手コネクタ）
５  雌ハウジング（コネクタハウジング）
６  嵌合フード部
８  雌型端子金具（端子金具）
９  嵌合用ガイドリブ
１１  端子収容室
１２  係止ランス
２２、３３  端子抜き治具
２３  抜き治具基壁部
２４  嵌合基部
２６  ガイド片
２８  解除突起
３１  連結基部
【図１】
2014107137.tif 000003
【図２】
2014107137.tif 000004
【図３】
2014107137.tif 000005
【図４】
2014107137.tif 000006
【図５】
2014107137.tif 000007
【図６】
2014107137.tif 000008
【図７】
2014107137.tif 000009